(57)【要約】【課題】柔軟性を有するシート体により構成されたアイロンケースにおいて、使い勝手を改善する。【解決手段】柔軟性を有するシート体１を備え、シート体１が平面形態をなすように展開可能なアイロンケースＡであって、シート体１は、耐熱性を有する内側表面１０ａとこれと反対側を向く外側表面１０ｂとを有する。展開状態のシート体１は、面内に沿う方向ｘに長状の帯状部１１と、帯状部１１の方向ｘの一方端部において、方向ｘに直角である方向ｙの両側に延出する一対の延出部１２，１３と、を有する。シート体１の周縁部には、第１および第２ファスナ部２１，２２を係合可能な線ファスナ２が設けられている。第１ファスナ部２１は、延出部１２，１３それぞれの周縁と、これら延出部１２，１３の間に位置し、帯状部１１の方向ｘの一方の端縁１１０とに一連に設けられる。第２ファスナ部２２は、帯状部１１の端縁１１０以外の周縁１１１に一連に設けられる。【選択図】図５
2019107092.tif 000002
【特許請求の範囲】
【請求項１】
柔軟性を有するシート体を備え、当該シート体が平面形態をなすように展開可能に構成されたアイロンケースであって、
上記シート体は、耐熱性材料によって覆われた第１面および当該第１面とは反対側を向く第２面を有しており、
展開状態をとる上記シート体は、当該シート体の面内に沿う第１方向に長状とされた帯状部と、当該帯状部の上記第１方向における一方の端部において、上記面内に沿い、かつ上記第１方向に直角である第２方向の両側に延出する一対の延出部と、を有し、
上記シート体の周縁部には、第１ファスナ部および第２ファスナ部を係合させて閉じることが可能な線ファスナが設けられており、
上記第１ファスナ部は、上記一対の延出部それぞれの周縁と、これら一対の延出部の間に位置し、上記帯状部の上記第１方向における一方の端縁とに一連に設けられており、
上記第２ファスナ部は、上記帯状部の上記一方の端縁を除いた周縁に一連に設けられている、アイロンケース。
【請求項２】
上記展開状態をとる上記シート体において、上記各延出部の周縁は、上記第１方向に対して各々が交差し、かつ実質的に互いに平行な一対の直線部を含む、請求項１に記載のアイロンケース。
【請求項３】
上記一対の直線部は、上記第２方向において上記帯状部から離れるにつれて上記第１方向における上記一方側に変位するように、上記第２方向に対して傾斜している、請求項２に記載のアイロンケース。
【請求項４】
上記一対の延出部のいずれか一方における上記第２面には、把手が取り付けられている、請求項１ないし３のいずれかに記載のアイロンケース。
【請求項５】
上記一対の延出部のいずれか一方における上記第１面には、小物類を保持するための保持バンドが取り付けられている、請求項１ないし４のいずれかに記載のアイロンケース。
【発明の詳細な説明】
【技術分野】
【０００１】
本発明は、アイロンを収納するためのアイロンケースに関し、特に柔軟性を有するシート体により構成されたアイロンケースに関する。
【背景技術】
【０００２】
従来、アイロンを収納するためのアイロンケースとして、柔軟性を有する収納袋からなるものが知られている（たとえば特許文献１を参照）。特許文献１に記載されたアイロンケースは、袋状とされており、上面に設けられた線ファスナを開くことによりアイロンの出し入れが可能となっている。
【０００３】
また、柔軟性を有するシートからなるアイロンケースとして、特許文献２に記載されたものがある。同文献に記載されたアイロンケースは、アイロン掛け用のマットとして使用できる長方形のシートを組み立てて形成するものである。当該シートの内側は耐熱性を有する材料からなり、展開した状態でアイロン掛け用のマットとして使用することが可能である。アイロンを収納する際には、上記シートの適所に形成された折り曲げ線に沿って適宜折り曲げるとともにホックなどの係止具で係止することにより、上方が開放したアイロンケースとなる。このようなアイロンケースによれば、アイロン掛けを行う際に、アイロン掛け用のマットを別途準備する必要がない。
【０００４】
一方、上記特許文献２に記載されたアイロンケースを用いてアイロン掛けを行う際、展開状態にあるシートにおいて、当該シートに形成された折り曲げ線によって折り筋（段差）が生じる場合がある。上記シートに段差が生じた状態でアイロン掛けを行うと、アイロン掛けを行う布地などの対象物に皺が入り、アイロン掛けの仕上がりが悪くなるという不都合が生じ得た。
【先行技術文献】
【特許文献】
【０００５】
【特許文献１】実開昭６３−１５８２９６号公報
【特許文献２】実用新案登録第２５１１５６０号公報
【発明の概要】
【発明が解決しようとする課題】
【０００６】
本発明は、このような事情のもとで考え出されたものであって、柔軟性を有するシート体により構成されたアイロンケースにおいて、使い勝手を改善するのに適したアイロンケースを提供することを主たる課題としている。
【課題を解決するための手段】
【０００７】
上記の課題を解決するため、本発明では、次の技術的手段を講じている。
【０００８】
本発明によって提供されるアイロンケースは、柔軟性を有するシート体を備え、当該シート体が平面形態をなすように展開可能に構成されたアイロンケースであって、上記シート体は、耐熱性材料によって覆われた第１面および当該第１面とは反対側を向く第２面を有しており、展開状態をとる上記シート体は、当該シート体の面内に沿う第１方向に長状とされた帯状部と、当該帯状部の上記第１方向における一方の端部において、上記面内に沿い、かつ上記第１方向に直角である第２方向の両側に延出する一対の延出部と、を有し、上記シート体の周縁部には、第１ファスナ部および第２ファスナ部を係合させて閉じることが可能な線ファスナが設けられており、上記第１ファスナ部は、上記一対の延出部それぞれの周縁と、これら一対の延出部の間に位置し、上記帯状部の上記第１方向における一方の端縁とに一連に設けられており、上記第２ファスナ部は、上記帯状部の上記一方の端縁を除いた周縁に一連に設けられている。
【０００９】
好ましい実施の形態においては、上記展開状態をとる上記シート体において、上記各延出部の周縁は、上記第１方向に対して各々が交差し、かつ実質的に互いに平行な一対の直線部を含む。
【００１０】
好ましい実施の形態においては、上記一対の直線部は、上記第２方向において上記帯状部から離れるにつれて上記第１方向における上記一方側に変位するように、上記第２方向に対して傾斜している。
【００１１】
好ましい実施の形態においては、上記一対の延出部のいずれか一方における上記第２面には、把手が取り付けられている。
【００１２】
好ましい実施の形態においては、上記一対の延出部のいずれか一方における上記第１面には、小物類を保持するための保持バンドが取り付けられている。
【００１３】
本発明のその他の特徴および利点は、添付図面を参照して以下に行う詳細な説明によって、より明らかとなろう。
【図面の簡単な説明】
【００１４】
【図１】本発明に係るアイロンケースの一例を示し、ケースとして使用する状態を表す斜視図である。
【図２】図１に示すアイロンケースを異なる方向から見た斜視図である。
【図３】図１に示すアイロンケースの正面図である。
【図４】図１に示すアイロンケースの背面図である。
【図５】図１に示すアイロンケースの展開状態を表す平面図である。
【図６】図３のＶＩ−ＶＩ線に沿う拡大断面図である。
【図７】アイロンケースの使用方法を説明するための斜視図である。
【図８】本発明に係るアイロンケースの他の例を示し、（ａ）は展開状態を示す概略構成図であり、（ｂ）はケースとして使用する状態を示す概略斜視図である。
【発明を実施するための形態】
【００１５】
以下、本発明の好ましい実施の形態について、図面を参照して具体的に説明する。
【００１６】
図１〜図６は、本発明に係るアイロンケースの一実施形態を示している。本実施形態のアイロンケースＡは、柔軟性を有するシート体１と、適所に設けられた線ファスナ２と、を備え、アイロンを収納するためのケースとして使用するとともに、アイロン掛け用のマットとして使用するものである。図１〜図４、図６に示すように、アイロンケースＡは、線ファスナ２を閉じることにより所定の内部空間Ｓ（図６参照）を有する立体形状が形成され、当該内部空間ＳにアイロンＢ（図６において二点鎖線で表す）を収納することが可能となっている。
【００１７】
図５は、線ファスナ２を全開とし、シート体１を展開した状態を示している。シート体１は、内部のクッション素材が生地素材で覆われた構成である。たとえば、上記クッション素材はポリエステル製であり、上記生地素材は綿製である。シート体１は、内側表面１０ａ（第１面）と、当該内側表面１０ａとは反対側を向く外側表面１０ｂ（第２面）とを有する。内側表面１０ａは、シート体１（アイロンケースＡ）が図１〜図４に示した立体形状をとるとき、内側表面１０ａは内側を向く部分であり、外側表面１０ｂは外側を向く部分である。また、内側表面１０ａは、アイロン掛けを行う際に対象物を載せる部分であり、耐熱性材料の被覆処理が施されている。内側表面１０ａには、たとえばフッ素樹脂コーティング生地が用いられる。図５においては、紙面表面側が内側表面１０ａであり、紙面裏面側が外側表面１０ｂである。
【００１８】
図５に示すように、展開状態をとるシート体１は、帯状部１１と、一対の延出部１２，１３とを有する。帯状部１１は、シート体１の面内に沿う方向ｘ（第１方向）に延びている。本実施形態において、帯状部１１は、概略長矩形状とされており、方向ｘに延びる一対の辺が長辺に相当する。帯状部１１の角部は、適度に湾曲している。なお、詳細は後述するが、帯状部１１の形状は長矩形状に限定されず、種々変更可能である。帯状部１１の形状は、線ファスナ２を閉じてシート体１がアイロンの収納ケースとして機能する際の立体形状に影響を及ぼす。
【００１９】
延出部１２，１３は、シート体１の面内に沿って帯状部１１から延出している。具体的には、延出部１２，１３は、帯状部１１の方向ｘにおける一方（図中左方）の端部において、方向ｘに直角である方向ｙ（第２方向）の両側に延出している。なお、図５において、帯状部１１と各延出部１２，１３との境界を二点鎖線で表す。
【００２０】
線ファスナ２は、シート体１の周縁部に設けられており、第１ファスナ部２１および第２ファスナ部２２を有する。線ファスナ２は、スライダ２３を移動させることにより、第１ファスナ部２１および第２ファスナ部２２を係合させて閉じることが可能である。なお、スライダ２３には、第１ファスナ部２１および第２ファスナ部２２を開閉操作するための引き手２４が取り付けられている。なお、第１ファスナ部２１および第２ファスナ部２２は、たとえばポリエステルからなるテープ状の基材２５を介して、シート体１の周縁部に取り付けられている。
【００２１】
図５に示すよう、第１ファスナ部２１は、一対の延出部１２，１３それぞれの周縁１２０，１３０と、これら一対の延出部１２，１３の間に位置し、帯状部１１の方向ｘにおける一方の端縁１１０とに一連に設けられている。第２ファスナ部２２は、帯状部１１の端縁１１０を除いた周縁１１１に一連に設けられている。
【００２２】
図１、図２を参照し、かつ図５を併せて理解されるように、スライダ２３は、線ファスナ２を全開にしたときに延出部１２の方向ｘにおける他方側（図中右側）であって帯状部１１側の基端に位置し、線ファスナ２を全閉にしたときに延出部１３の方向ｘにおける他方側であって帯状部１１側の基端に位置する。
【００２３】
図５に示すように、本実施形態において、延出部１２の周縁１２０は、実質的に互いに平行な一対の直線部１２１，１２２を含む。これら直線部１２１，１２２は、各々が方向ｘに対して交差している。また、延出部１３の周縁１３０は、実質的に互いに平行な一対の直線部１３１，１３２を含む。これら直線部１３１，１３２は、各々が方向ｘに対して交差している。さらに、本実施形態において、一対の直線部１２１，１２２および一対の直線部１３１，１３２は、それぞれ、方向ｙにおいて帯状部１１から離れるにつれて方向ｘにおける一方側（図中左側）に変位するように、方向ｙに対して傾斜している。ここで、直線部１２１，１２２（１３１，１３２）の方向ｙに対する傾斜角度αは、たとえば５〜１０°程度であり、好ましくは６〜８°である。直線部１２１，１２２（１３１，１３２）を方向ｙに対して傾斜させていることの意義は後述する。なお、本実施形態において、周縁１２０，１３０のうち方向ｙにおいて帯状部１１から離れた先端縁１２３，１３３は、比較的緩やかに湾曲している。
【００２４】
本実施形態において、図５に示すように、延出部１３における内側表面１０ａには、保持バンド１５が取り付けられている。保持バンド１５は、小物類を保持するためのものである。保持バンド１５、たとえば帯状の弾性ゴムバンドからなり、両端部において延出部１３に縫合されている。
【００２５】
図１、図３、図４に示すように、本実施形態において、延出部１２における外側表面１０ｂには、把手１４が取り付けられている。把手１４は、使用者が手で掴むための部分である。把手１４は、たとえば帯状の布地によって構成されており、両端部が延出部１２に縫合されることで延出部１２との間で環状をなしている。
【００２６】
次に、上記構成のアイロンケースＡの使用方法および作用について説明する。
【００２７】
本実施形態のアイロンケースＡは、柔軟性を有するシート体１を備え、展開状態をとるシート体１は、方向ｘに長状とされた帯状部１１と、この帯状部１１から延出する一対の延出部１２，１３とを有する。当該延出部１２，１３は、帯状部１１の方向ｘにおける一方の端部において、方向ｘに直角である方向ｙの両側に延出する。また、シート体１の周縁部には、第１ファスナ部２１および第２ファスナ部２２を係合させて閉じることが可能な線ファスナ２が設けられている。第１ファスナ部２１は、一対の延出部１２，１３それぞれの周縁１２０，１３０と、これら延出部１２，１３の間に位置し、帯状部１１の方向ｘにおける一方の端縁１１０とに一連に設けられている。第２ファスナ部２２は、帯状部１１における端縁１１０を除いた周縁１１１に一連に設けられている。そして、シート体１の内側表面１０ａは、耐熱性材料によって覆われている。
【００２８】
このような構成のアイロンケースＡによれば、柔軟性を有するシート体１について、アイロンを収納する状態（図１〜図４、図６参照）、およびアイロン掛け用のマットとして使用する状態（図５参照）の２通りの使用状態を提供することができる。アイロンケースＡは上記構成の線ファスナ２を具備するため、全閉状態にある線ファスナ２からスライダ２３を線ファスナ２が開く方向へ移動させることにより（図７参照）、シート体１を展開することができる。また、図５を参照して説明したように、第１ファスナ部２１および第２ファスナ部２２はそれぞれシート体１の周縁部において一連に設けられている。このため、線ファスナ２の開閉操作をスムーズかつ迅速に行うことができる。なお、図７は線ファスナ２を開く途中の状態を示しているが、線ファスナ２を延出部１３の周縁１３０に沿って開いた時点で、同図において二点鎖線で示すように延出部１３が倒れて開口が形成され、アイロンの出し入れを容易に行うことが可能となる。このとき、アイロンケースＡ（シート体１）の立体形状は保たれており、アイロンの出し入れをスムーズに行うことができる。
【００２９】
図５に示したように、シート体１を展開した状態においては、平面形態のシート体１をアイロン掛け用のマットとして使用することができる。また、線ファスナ２を閉じるだけでシート体１全体によって立体形状が形成されるので、展開状態のシート体１においては、折り筋が生じない。したがって、展開状態のシート体１の平らな面を、アイロン掛け用のマットとして広く使うことができる。
【００３０】
線ファスナ２を全て閉じた状態において形成されるシート体１の立体形状は、主に一対の延出部１２，１３の形状に対応している。本実施形態においては、延出部１２（１３）の周縁１２０（１３０）は、実質的に互いに平行な一対の直線部１２１，１２２（１３３１，１３２）を含む。このような構成によれば、図６にも表れているように、立体形状をなすシート体１において、帯状部１１は、底面となる部分から略一定幅で立ち上がる。したがって、立体形状をなすシート体１において、アイロンＢを収納するための内部空間Ｓについて適切なサイズを確保することができる。また、線ファスナ２（第１ファスナ部２１および第２ファスナ部２２）は、シート体１の周縁部の略全周にわたって設けられている。このため、線ファスナ２を全て閉じた状態ではシート体１（アイロンケースＡ）に開口部が無く、アイロンケースＡを収納ケースとして使用する際に埃などの異物の侵入を防止することができる。
【００３１】
展開状態にあるシート体１から線ファスナ２を閉じて立体形状を形成すると、帯状部１１において延出部１２，１３がつながっていない部分（図５における図中右寄り部分）に引っ張られ、起立した状態の延出部１２，１３を図１において矢印Ｎ１で示される方向に引っ張る力が作用する。これに対し、本実施形態において、一対の直線部１２１，１２２（１３１，１３２）は、方向ｙにおいて帯状部１１から離れるにつれて方向ｘにおける一方側（図５における図中左側）に変位するように、方向ｙに対して傾斜している。このような構成によれば、立体形状をとるシート体１（アイロンケースＡ）において、一対の直線部１２１，１２２（１３１，１３２）が略鉛直方向に沿うことになり、アイロンケースＡの立体形状を整えることができる。
【００３２】
本実施形態において、延出部１２における外側表面１０ｂには、把手１４が取り付けられている。このような構成によれば、アイロンＢが収納されたアイロンケースＡを持ち運ぶ際に、把手１４を手で掴むことで容易に運ぶことが可能である。
【００３３】
本実施形態において、延出部１３における内側表面１０ａには、保持バンド１５が取り付けられている。このような構成によれば、小型のスプレー容器（霧吹き）などを、アイロンケースＡの内部においてアイロンと区別して収納することができる。
【００３４】
以上、本発明の具体的な実施形態を説明したが、本発明はこれに限定されるものではなく、発明の思想から逸脱しない範囲内で種々な変更が可能である。本発明に係るアイロンケースの具体的な形状や材質なども、上記実施形態に限定されるものではない。
【００３５】
上記実施形態では、シート体１の帯状部１１が概略長矩形状である場合について説明したが、これに限定されない。たとえば図８（ａ）に示すように、帯状部１１について長手方向（方向ｘ）の中間において幅寸法（方向ｙの寸法）を小さくする形状として、また、延出部１２，１３について方向ｙにおいて帯状部１１から遠ざかるにつれて方向ｘにおける寸法を小さくする形状とする場合、線ファスナ（図示略）を閉じて形成されるシート体１（アイロンケースＡ'）の立体形状は、図８（ｂ）のようになる。同図に示したアイロンケースＡ'においては側面部分が傾斜しており、帯状部１１や延出部１２，１３の形状を適宜設定することにより、収納ケースとして使用する際の立体形状を変更することができる。
【符号の説明】
【００３６】
Ａ，Ａ'    アイロンケース
Ｂ        アイロン
Ｓ        内部空間
ｘ        方向（第１方向）
ｙ        方向（第２方向）
α        傾斜角度
１        シート体
１０ａ    内側表面（第１面）
１０ｂ    外側表面（第２面）
１１      帯状部
１１０    端縁
１１１    周縁
１２      延出部
１２０    周縁
１２１，１２２    直線部
１２３    先端縁
１３      延出部
１３０    周縁
１３１，１３２    直線部
１３３    先端縁
１４      把手
１５      保持バンド
２        線ファスナ
２１      第１ファスナ部
２２      第２ファスナ部
２３      スライダ
２４      引き手
２５      基材
【図１】
2019107092.tif 000003
【図２】
2019107092.tif 000004
【図３】
2019107092.tif 000005
【図４】
2019107092.tif 000006
【図５】
2019107092.tif 000007
【図６】
2019107092.tif 000008
【図７】
2019107092.tif 000009
【図８】
2019107092.tif 000010